(57)【要約】【課題】  ユーザーが補助トレイを延長し忘れたまま、トレイ本体の載置面より大きい定型サイズの記録紙を載置した場合でも、前記記録紙のサイズを検知することができる手差しトレイユニットを提供する。【解決手段】  画像形成装置に対して手差しにより供給する記録紙が載置されるトレイ本体と、該トレイ本体の上面に載置された定型サイズの記録紙の幅を検出する第１の検出部と、前記トレイ本体から給紙方向の上流側に延長可能に設けられた補助トレイと、該補助トレイの上面に前記記録紙が載置されている否かを検出する第２の検出部と、前記トレイ本体より下方に設けられ、前記トレイ本体の給紙方向に向かって上流側の端部からはみ出した前記記録紙のはみ出し部分にレーザー光を照射し、該レーザー光の反射光の存否を検知することで前記記録紙の定型サイズを判別する定型サイズ判別部とを具備する手差しトレイユニット。【選択図】図１
2009208940.tif 000002
【特許請求の範囲】
【請求項１】
記録紙に画像を形成する画像形成装置に対して手差しにより供給する記録紙が載置されるトレイ本体と、
該トレイ本体の上面に載置された定型サイズの記録紙の幅を検出する第１の検出部と、
前記トレイ本体から給紙方向の上流側に延長可能に設けられた補助トレイと、
該補助トレイの上面に前記記録紙が載置されている否かを検出する第２の検出部と、
前記トレイ本体より下方に設けられ、前記トレイ本体の給紙方向に向かって上流側の端部からはみ出した前記記録紙のはみ出し部分にレーザー光を照射し、該レーザー光の反射光の存否を検知することで前記記録紙の定型サイズを判別する定型サイズ判別部とを具備してなることを特徴とする手差しトレイユニット。
【請求項２】
記録紙に画像を形成する画像形成装置に対して手差しにより供給する記録紙が載置されるトレイ本体と、
該トレイ本体の上面に載置された定型サイズの記録紙の幅を検出する第１の検出部と、
前記トレイ本体の上面に載置された前記記録紙のサイズを指定するサイズ指定部と、
前記トレイ本体より下方に設けられ、前記トレイ本体の給紙方向に向かって上流側の端部からはみ出した前記記録紙のはみ出し部分にレーザー光を照射し、該レーザー光の反射光の存否を検知することで前記記録紙の定型サイズを判別する定型サイズ判別部とを具備してなることを特徴とする手差しトレイユニット。
【請求項３】
前記定型サイズ判別部は、前記トレイ本体の下面に設けられていることを特徴とする請求項１又は２に記載の手差しトレイユニット。
【請求項４】
前記定型サイズ判別部は、前記記録紙のはみ出し部分にレーザー光を照射するレーザー照射部と前記レーザー光の前記記録紙のはみ出し部分からの反射光を受光する受光部とを備え、
前記受光部は、前記トレイ本体部の下面における給紙方向に向かって上流側の端部に設けられていることを特徴とする請求項１乃至３のいずれかに記載の手差しトレイユニット。
【発明の詳細な説明】
【技術分野】
【０００１】
本発明は、複写機或いはプリンタ等の画像形成装置に備えられる手差しトレイの上面に載置された定型サイズの記録紙のサイズを使用者の誤操作に関わらず判別可能な手差しトレイユニットに関する。
【背景技術】
【０００２】
一般に、複写機或いはプリンタ等の画像形成装置における給紙装置には、画像形成装置の本体内に定型サイズの記録紙を収容するための給紙カセットが備えられている。また、画像形成装置には、給紙カセットに収容できないサイズの記録紙或いは少数枚の記録紙への印刷等に対応するために、手差しにより記録紙を供給するための手差しトレイユニットが備えられている。
【０００３】
ここで、手差しトレイユニットは、省スペースや操作性向上の観点から、そのトレイ本体の長さが使用頻度の高いＡ４及びＢ５サイズの記録紙の長さと同程度とされるのが一般的である。そして、このトレイ本体には補助トレイが延長可能に設けられ、Ａ３サイズ或いはＢ４サイズの記録紙を供給する場合には、記録紙のトレイ本体からはみ出した部分を補助トレイで受けることになる。
【０００４】
また、手差しトレイユニットは、用途に応じて、様々なサイズの記録紙がセットされる。そのため、画像形成装置により印刷を行う前に、手差しトレイユニット上に載置された記録紙のサイズを画像形成装置に認識させる必要がある。
【０００５】
従来、手差しトレイユニット上に載置された記録紙のサイズを検知できる手差しトレイユニットとして、記録紙の幅を検出するためのセンサが設けられたトレイ本体と、該トレイ本体から引出し可能で、記録紙が載置されているか否かを検出するセンサが設けられた補助トレイを備えた手差しトレイユニットが開示されている（例えば、特許文献１参照）。
【０００６】
例えば、トレイ本体の載置面は、Ａ４サイズの記録紙を横向き、すなわち、記録紙の長手方向が給紙方向に対して直交する向きに載置した場合に、記録紙が給紙方向に向かって上流側の端部からはみ出さないように、記録紙の短手方向の長さより少し長い寸法を有するように構成される。この場合、Ａ３サイズの記録紙を手差しトレイユニット上に縦向き、すなわち、記録紙の長手方向が給紙方向と一致する向きに載置した際は、記録紙の幅を検出するセンサによりトレイ本体に載置されたＡ３サイズの記録紙の幅が検出される。これにより、Ａ４サイズの記録紙が横向きに又はＡ３サイズの記録紙が縦向きに載置されていることが検出される。そして、補助トレイに設けられたセンサにより、補助トレイに記録紙が載置されているか否かが検出される。補助トレイに設けられたセンサにより、補助トレイに記録紙が載置されていると検出された場合は、Ａ３サイズの記録紙が縦向きに載置されていると判別される。
【０００７】
また、手差しトレイユニット上に載置された定型サイズの記録紙のサイズを予めサイズダイヤルで指定することにより、画像形成装置による印刷を行う前に記録紙のサイズを画像形成装置に認識させるものもある。このサイズダイヤルは、トレイ本体上に設けられた回転可能なダイヤル式のものであり、ダイヤルには、各種定型サイズを表示する目盛りが付されている。使用者は、このダイヤルを調整することにより、画像形成装置に記録紙のサイズを認識させる。
【特許文献１】特開平９−１８８４４３号公報
【発明の開示】
【発明が解決しようとする課題】
【０００８】
しかしながら、上記の特許文献１で開示されている手差しトレイユニットは、トレイ本体の載置面より大きい記録紙を載置する場合に、使用者が補助トレイを引出すことを忘れたまま、トレイ本体上に前記記録紙を載置し、印刷の動作を開始する場合がある。この場合、トレイ本体に備えられた記録紙の幅を検出するセンサにより、記録紙の幅は検出される。しかしながら、補助トレイが引出されていないため、補助トレイには記録紙が載置されていないと検出される。そのため、例えば、Ａ３サイズの記録紙を縦向きに載置している場合でも、画像形成装置は、Ａ４サイズの記録紙を横向きに載置していると誤って認識してしまうため、記録紙に画像を形成する際にエラーが生じる。
【０００９】
また、使用者が手差しトレイユニット上に載置された定型サイズの記録紙のサイズをサイズダイヤルで指定し忘れた場合或いは誤ったサイズを指定した場合も、画像形成装置は記録紙のサイズを正しく認識することができないため、同様のエラーを生じる。
【００１０】
本発明は上記のような種々の課題を解決することを目的としてなされたものであって、使用者が補助トレイを延長し忘れたまま或いはサイズダイヤルを調整し忘れたまま、トレイ本体の載置面より大きい定型サイズの記録紙を載置した場合でも、記録紙のサイズを検知することができる手差しトレイユニットを提供することを目的とする。
【課題を解決するための手段】
【００１１】
上記目的を達成するために、本発明に係る手差しユニットは、記録紙に画像を形成する画像形成装置に対して手差しにより供給する記録紙が載置されるトレイ本体と、該トレイ本体の上面に載置された定型サイズの記録紙の幅を検出する第１の検出部と、前記トレイ本体から給紙方向の上流側に延長可能に設けられた補助トレイと、該補助トレイの上面に前記記録紙が載置されている否かを検出する第２の検出部と、前記トレイ本体より下方に設けられ、前記トレイ本体の給紙方向に向かって上流側の端部からはみ出した前記記録紙のはみ出し部分にレーザー光を照射し、該レーザー光の反射光の存否を検知することで前記記録紙の定型サイズを判別する定型サイズ判別部とを具備してなることを特徴としている。
【００１２】
また、本発明に係る手差しユニットは、記録紙に画像を形成する画像形成装置に対して手差しにより供給する記録紙が載置されるトレイ本体と、該トレイ本体の上面に載置された定型サイズの記録紙の幅を検出する第１の検出部と、前記トレイ本体の上面に載置された前記記録紙のサイズを指定するサイズ指定部と、前記トレイ本体より下方に設けられ、前記トレイ本体の給紙方向に向かって上流側の端部からはみ出した前記記録紙のはみ出し部分にレーザー光を照射し、該レーザー光の反射光の存否を検知することで前記記録紙の定型サイズを判別する定型サイズ判別部とを具備してなることを特徴としている。
【００１３】
また、本発明に係る手差しユニットの定型サイズ判別部は、前記トレイ本体の下面に設けられることを特徴としている。
【００１４】
また更に、前記定型サイズ判別部は、前記記録紙のはみ出し部分にレーザー光を照射するレーザー照射部と前記レーザー光の前記記録紙のはみ出し部分からの反射光を受光する受光部とを備え、前記受光部は、前記トレイ本体部の下面における給紙方向に向かって上流側の端部に設けられていることを特徴としている。
【発明の効果】
【００１５】
使用者は、トレイ本体の載置面より大きい定型サイズの記録紙を載置する際に、記録紙が載置されているか否かを検出する第２の検出部を備えた補助トレイを延長し忘れる場合がある。このような場合でも、本発明に係る手差しトレイユニットによれば、トレイ本体の上面に備えられた第１の検出部が記録紙の幅を検出する。そして、定型サイズ判別部が、トレイ本体の給紙方向に向かって上流側の端部からはみ出した記録紙のはみ出し部分にレーザー光を照射し、該レーザー光の反射光の存否を検知することにより、第２の検出部の検出結果に関わらず、記録紙の正しいサイズを判別する。これにより、使用者が補助トレイを延長し忘れた場合でも、記録紙に画像を形成する際に生じるエラーを防ぐことができる。
【００１６】
また、使用者は、トレイ本体に載置された定型サイズの記録紙のサイズをサイズ指定部で指定することを忘れる場合がある。このような場合でも、本発明に係る手差しトレイユニットによれば、トレイ本体の上面に備えられた第１の検出部が記録紙の幅を検出する。そして、定型サイズ判別部が、トレイ本体の給紙方向に向かって上流側の端部からはみ出した記録紙のはみ出し部分にレーザー光を照射し、該レーザー光の反射光の存否を検知することにより、第２の検出部の検出結果に関わらず、記録紙の正しいサイズを判別する。これにより、使用者がサイズ指定部で記録紙のサイズを指定することを忘れた場合でも、記録紙に画像を形成する際に生じるエラーを防ぐことができる。
【００１７】
また、定型サイズ判別部が、トレイ本体の下面に設けられた構成であれば、トレイ本体と定型サイズ判別部が一体化できるので、画像形成装置への取付け及び管理が容易になる。
【００１８】
また、更に定型サイズ判別部の受光部が、トレイ本体の下面における給紙方向に向かって上流側の端部に設けられることにより、記録紙のはみ出し部分に近く位置することになる。これにより、受光部は、レーザー照射部から記録紙のはみ出し部分に照射されたレーザー光の反射光を精度良く受光できる。
【発明を実施するための最良の形態】
【００１９】
本発明の第１の実施形態に係る手差しトレイユニット１は、図１〜３に示すように、画像形成装置２の側面に取外し可能に設けられたトレイ本体３と、該トレイ本体３の上面に設けられた幅規制部材４（第１の検出部）と、トレイ本体３から給紙方向の上流側に引出すことにより延長できる補助トレイ５と、該補助トレイ５に設けられたセンサ６（第２の検出部）と、トレイ本体３の下面に設けられた定型サイズ判別部７とを備えている。尚、画像形成装置２の構成については、公知の技術を採用するものであるので、ここでは詳細な説明は省略する。
【００２０】
トレイ本体３は、画像形成装置２に対して手差しにより供給する記録紙８を載置するためのものである。本実施形態では、トレイ本体３の上面は、Ａ４サイズの記録紙８２を横向きに載置した場合に、給紙方向に向かって上流側の端部から記録紙８２がはみ出さないように、記録紙８２の短手方向の長さより少し長い寸法を有するように構成されている。
【００２１】
図２に示すように、補助トレイ５は、トレイ本体３に形成された収納部９に収納できるようにトレイ本体３より若干小さく構成されている。補助トレイ５は、収納部９から給紙方向の上流側に向かって引出すことにより延長することが可能である。また、図１に示すように、補助トレイ５が、最大まで引出された場合は、トレイ本体３と合わせた上面にＡ３サイズの記録紙８１をはみ出すことなく、縦向きに載置することができる。尚、本実施形態では、トレイ本体３は、Ａ４サイズの記録紙８２を横向きに載置できる給紙方向の長さを有するように構成された例を示しているが、トレイ本体３の給紙方向の長さはこれに限定されるものではなく、用途に合わせて適宜変更することが可能である。
【００２２】
また、本実施形態の補助トレイ５は、トレイ本体３の収納部９から引出されることにより、延長されるものであるが、補助トレイ５はこれに限定されるものではなく、トレイ本体３から延長可能に設けられ、折畳んでトレイ本体３に装着される構成にしても良い。
【００２３】
幅規制部材４は、トレイ本体３の上面に載置された記録紙８を幅方向（給紙方向に直交する方向）に位置決めするとともに、位置決めした位置に基づいて、記録紙８の幅を検出するものである。尚、本発明で記録紙の幅とは、給紙方向に直交する方向の長さのことであり、記録紙の長さとは、給紙方向の長さのことである。
【００２４】
図２に示すように、幅規制部材４は、トレイ本体３の上面に幅方向に長く形成された一対の溝部１０に沿ってスライド自在に設けられている。また、図示はしないが、溝部１０の下部にあたるトレイ本体３の内部には、収納部９に補助トレイ５を収納した際に接触しないように、ラック・アンド・ピニオン部が設けられている。これより、一対の幅規制部材４同士が連動してスライドするので、記録紙８はサイズによらず、トレイ本体３の幅方向の中央部に位置決めされる。
【００２５】
尚、幅規制部材４の位置に基づいて、記録紙８の幅を検出する代わりに、例えば、後述の反射式のフォトセンサを定型サイズの記録紙８の幅に対応させたトレイ本体３に設けることにより、記録紙８の幅を検出することも可能である。
【００２６】
図２に示すセンサ６１、６２（第２の検出部）は、補助トレイ５の上面に記録紙８が載置されたか否かを検出するものである。給紙方向の下流側に設けられたセンサ６１は、Ｂ４サイズの記録紙８３を縦向きに載置した場合に、Ｂ４サイズの記録紙８３により覆われる位置に設けられている。また、給紙方向の上流側に設けられたセンサ６２は、Ｂ４サイズの記録紙８３を縦向きに載置した場合には、覆われないが、Ａ３サイズの記録紙８１を載置した場合には、Ａ３サイズの記録紙８１により覆われる位置に設けられている。
【００２７】
例えば、センサ６としては、反射式のフォトセンサを用いることができる。このセンサ６では、補助トレイ５が引出された状態で、記録紙８がセンサ６上に載置されれば、センサ６の発光素子（不図示）から照射されたレーザー光が記録紙８により反射される。そして、記録紙８により反射された反射光がセンサ６の受光素子（不図示）で受光されることにより、記録紙８が載置されているか否かが検出される。
【００２８】
このように構成される手差しトレイユニット１では、例えばＡ３サイズの記録紙８１を画像形成装置２に供給する場合、図２示すように、使用者はトレイ本体３から補助トレイ５を引出して記録紙８１を載置し、幅規制部材４をスライドさせることで記録紙８１を位置決めする。これにより、幅規制部材４は、Ａ４サイズの記録紙８２が横向きに又はＡ３サイズの記録紙８１が縦向きに載置されていることを検出する。そして、補助トレイ５に設けられたセンサ６２が、補助トレイ５に記録紙８１が載置されていることを検出することにより、Ａ３サイズの記録紙８１が縦向きに載置されていると判別する。
【００２９】
本発明では、上記の構成に加えて、図３に示すように、定型サイズ判別部７が、トレイ本体３の下面に設けられている。図４に示すように、使用者が補助トレイを引出し忘れた状態で、Ａ３サイズの記録紙８１をトレイ本体３に載置した場合、記録紙８１の一部が、トレイ本体３の給紙方向に向かって上流側の端部からはみ出すことになる。定型サイズ判別部７は、この記録紙８１のはみ出し部分１１にレーザー光を照射し、該レーザー光の記録紙８１からの反射光を受光する。この際、照射したレーザー光が、トレイ本体３に反射されないように、レーザー光は、トレイ本体３の下面に平行又は平行より少し下向きになるように照射される。尚、トレイ本体３の下面にレーザー光を吸収する光吸収部材を設けておけば、レーザー光の一部が、トレイ本体３に当たっても反射されない。
【００３０】
また、記録紙８からの反射光を精度良く受光するために、定型サイズ判別部７はトレイ本体３の給紙方向に向かって上流側に設けられている。また、トレイ本体３の上面に載置される記録紙８は、幅規制部材４によりトレイ本体３の幅方向の中央部に位置決めされる。従って、定型サイズ判別部７から照射されるレーザー光が、記録紙８のはみ出し部分１１に確実に照射されるために、定型サイズ判別部７は、トレイ本体３の幅方向の中央部に設けられることが好適である。
【００３１】
使用者が、手差しによりＡ３サイズの記録紙８１を印刷する際に、補助トレイ５を引出して記録紙８１を載置する場合は、定型サイズ判別部７からのレーザー光は、記録紙８１には照射されないので、記録紙８１からの反射光を受光することはなく、記録紙８１のサイズの判別には影響しない。
【００３２】
しかしながら、図４に示すように、使用者が、補助トレイ５をトレイ本体３から引出し忘れて、Ａ３サイズの記録紙８１をトレイ本体３に載置する場合がある。この場合、幅規制部材４により記録紙８１の幅は検出されるが、記録紙８１は補助トレイ５上には載置されないので、センサ６２は記録紙８１が載置されていないと検出する。一方、定型サイズ判別部７は、トレイ本体３からはみ出した記録紙８１の自重により垂れ下がったはみ出し部分１１にレーザー光を照射する。そして、記録紙８１からの反射光を受光することにより記録紙８１がトレイ本体３の給紙方向の長さよりも長いことが検知される。従って、幅規制部材４により検出された記録紙８１の幅と、定型サイズ判別部７に受光された記録紙８１からの反射光の結果から、センサ６２の検出結果に関わらずＡ３サイズの記録紙８１がトレイ本体３に縦向きに載置されていることが判別される。これにより、従来のような補助トレイ５を延長し忘れることにより、画像を形成する際に生じるエラーを防ぐことが可能になる。尚、本実施形態では、Ａ３サイズの記録紙８１を用いて説明したが、Ｂ４サイズの記録紙８３をトレイ本体３に載置した場合も同様にエラーを防ぐことが可能である。また、トレイ本体３の給紙方向の長さをどのように設定するかによって、Ｂ４及びＡ３以外の定型サイズの記録紙８がトレイ本体３からはみ出す場合もあるが、この場合も定型サイズ判別部７によって記録紙８の正しいサイズが判別される。
【００３３】
本発明の第２の実施形態に係る手差しトレイユニット１０１は、図５〜７に示すように、手差しトレイユニット１０１は、画像形成装置２の側面に取外し可能に設けられたトレイ本体３と、該トレイ本体３の上面に設けられた幅規制部材４（第１の検出部）と、トレイ本体３の上面に載置された記録紙８のサイズを指定するサイズダイヤル１２と、トレイ本体３の下面に設けられた定型サイズ判別部７とを備えている。尚、トレイ本体３、及び幅規制部材４の構成に関しては、既に上述しているので、ここでは説明は省略する。
【００３４】
サイズダイヤル１２は、トレイ本体３の上面に載置された定型サイズの記録紙８のサイズに合わせて、使用者が回して調整するものである。使用者が、このサイズダイヤル１２を記録紙８のサイズに調整することにより、記録紙８のサイズの信号が、画像形成装置２の制御部（不図示）に送られる。これにより、画像形成装置２は、トレイ本体３の上面に載置された記録紙８のサイズを認識する。また、サイズダイヤル１２は、記録紙８を載置する際に邪魔にならないように、トレイ本体３の幅方向の一端側に設けられている。
【００３５】
通常、使用者は手差しトレイユニット１０１を用いる場合、まず記録紙８をトレイ本体３の上面に載置し、幅規制部材４をスライドすることにより記録紙８を幅方向に位置決めする。そして、使用者が、サイズダイヤル１２によりトレイ本体３に載置されている記録紙８のサイズを指定する。例えば、図５に示すように、Ａ４サイズの記録紙８２が横向きにトレイ本体３の上面に載置されている場合、幅規制部材４が記録紙８２の幅に合わせてスライドさせられることにより幅規制部材４は、記録紙８２の幅を検出する。これにより、幅規制部材４は、Ａ４サイズの記録紙８２が横向きに、又はＡ３サイズの記録紙８１が縦向きにトレイ本体３に載置されていることを検出する。そして、サイズダイヤル１２がトレイ本体３の上面に載置されている記録紙８２のサイズに指定されることにより、記録紙８２のサイズ及び向きが検出される。
【００３６】
しかしながら、図５に示すように、トレイ本体３にＡ４サイズの記録紙８２が横向きに載置された状態において、使用者が、サイズダイヤル１２を間違ってＡ３サイズに指定する場合がある。この場合、幅規制部材４により記録紙８２の幅は検出されるが、サイズダイヤル１２で指定されるサイズは、誤ったサイズであるＡ３サイズになっているため、画像形成装置２の制御部に誤った信号が送られ、記録紙に画像を形成する際にエラーが生じる。
【００３７】
このようなエラーを防止するために、図５、図７に示すように、定型サイズ判別部７が、トレイ本体３の下面に設けられている。定型サイズ判別部７は、給紙方向に向かって上流側にレーザー光を照射する。図５のように、トレイ本体３にＡ４サイズの記録紙８２を横向きに載置している場合、記録紙８２は、トレイ本体３からはみ出さないので、定型サイズ判別部７から照射されるレーザー光は、記録紙８２に当たることはない。従って、定型サイズ判別部７は、記録紙８２からの反射光を受光しないので、トレイ本体３の上面に載置されている記録紙がＡ３サイズの記録紙８１でないと判別される。これにより、定型サイズ判別部７は、サイズダイヤル１２で指定されているサイズは誤りであると判別し、幅規制部材４により検出された記録紙８２の幅からトレイ本体３の上面に載置されている記録紙は、Ａ４サイズの記録紙８２であると判別する。
【００３８】
また、図８に示すように、トレイ本体３の上面にＡ３サイズの記録紙８１が載置された状態において、サイズダイヤル１２が、Ａ４サイズに指定されている場合がある。この場合も、幅規制部材４により記録紙８１の幅は検出されるが、サイズダイヤル１２で指定されるサイズは、誤ったサイズであるＡ４サイズになっているため、画像形成装置２の制御部（不図示）に誤った信号が送られ、記録紙に画像を形成する際にエラーが生じる。
【００３９】
しかしながら、このような場合も、トレイ本体３の下面に設けられた定型サイズ判別部７は、給紙方向に向かって上流側にレーザー光を照射する。図８のように、トレイ本体３にＡ３サイズの記録紙８１が縦向きに載置されている場合、記録紙８１は、トレイ本体３の給紙方向に向かって上流側の端部からはみ出すことになる。そして、記録紙８１のはみ出し部分１１にレーザー光が照射され、その反射光を定型サイズ判別部７は受光する。これにより、定型サイズ判別部７は、サイズダイヤル１２で指定されているサイズは誤りであると判別し、幅規制部材４により検出された記録紙８１の幅からトレイ本体３の上面に載置されている記録紙は、Ａ３サイズの記録紙８１であると判別する。
【００４０】
このように、定型サイズ判別部７をトレイ本体３の下面に設けることにより、サイズダイヤル１２でサイズの指定を忘れた場合或いは誤ったサイズを指定した場合でも、エラーを防ぐことができる。尚、定型サイズ判別部７の判別結果とサイズダイヤル１２によるサイズの指定が異なる場合には、エラーメッセージ等を画像形成装置のディスプレイ部に表示するような構成を設けても良い。また、サイズダイヤル１２は、トレイ本体３の幅方向の一端側に設けられているが、画像形成装置２に備えられた操作パネル等から入力する構成にしても良い。
【００４１】
本発明の第３の実施形態に係る手差しトレイユニット１０２は、図９に示すように、第２の実施形態に係る手差しトレイユニット１０１の定型サイズ判別部７をレーザー光を照射するレーザー照射部１３と、レーザー光の反射光を受光する受光部１４と別々に設けたものである。また、手差しトレイユニット１０２の他の構成に関しては、既に上述しているので、ここでは説明を省略する。
【００４２】
レーザー照射部１３は、画像形成装置２のトレイ本体３が取付けられている側面から記録紙８のはみ出し部分１１にレーザー光を照射するようにトレイ本体３より下方側に設けられている。この際、レーザー光は、トレイ本体３に対して平行より上に傾き、且つ、トレイ本体３の下面に照射しない角度に設定される。また、レーザー照射部１３は、レーザー光を記録紙８のはみ出し部分１１に精度良く照射するために、画像形成装置２のトレイ本体３が取付けられている側面における幅方向の中央部に設けられることが好適である。
【００４３】
受光部１４は、トレイ本体３の下面に設けられている。受光部１４は、レーザー照射部１３から照射されたレーザー光の記録紙８からの反射光を精度良く受光するために、トレイ本体３の給紙方向に向かって上流側の端部に位置する。
【００４４】
図９に示すように、トレイ本体３の上面にＡ３サイズの記録紙８１が載置され、定型サイズダイヤル１２がＡ４サイズに指定されている場合、レーザー照射部１３からのレーザー光が記録紙８１のはみ出し部分１１に照射される。そして、受光部１４は、はみ出し部分１１からの反射光を受光する。これにより、サイズダイヤル１２で指定されているサイズは誤りであると判別され、幅規制部材４により検出された記録紙８１の幅からトレイ本体３の上面に載置されている記録紙は、Ａ３サイズの記録紙８１であると判別される。尚、本実施形態のように定型サイズ判別部７をレーザー照射部と受光部と別々に設けた構成は、手差しトレイユニット１のように補助トレイ５を備えた構成にも適用可能である。
【図面の簡単な説明】
【００４５】
【図１】本発明の第１の実施形態に係る手差しトレイユニット１を適用した画像形成装置２の概略正面図である。
【図２】図１の手差しトレイユニット１を上面側から見た構成を説明するための概略斜視図である。
【図３】図１の手差しトレイユニット１を底面側から見た概略斜視図である。
【図４】手差しトレイユニット１の作用効果を設明するための図であって、手差しトレイ１の概略正面図である。
【図５】本発明の第２の実施形態に係る手差しトレイユニット１０１を適用した画像形成装置２の概略正面図である。
【図６】図５の手差しトレイユニット１０１を上面側から見た構成を説明するための概略斜視図である。
【図７】図５の手差しトレイユニット１０１を底面側から見た構成を説明するための概略斜視図である。
【図８】手差しトレイユニット１０１の作用効果を説明するための図であって、手差しトレイユニット１０１の概略正面図である。
【図９】本発明の第３の実施形態に係る手差しトレイユニット１０２を適用した画像形成装置２の概略正面図である。
【符号の説明】
【００４６】
１、１０１、１０２    手差しトレイユニット
２                    画像形成装置
３                    トレイ本体
４                    幅規制部材（第１の検出部）
５                    補助トレイ
６、６１、６２        センサ（第２の検出部）
７                    定型サイズ判別部
８、８１、８２、８３  記録紙
１１                  はみ出し部分
１２                  サイズダイヤル（サイズ指定部）
１３                  レーザー照射部
１４                  受光部
【図１】
2009208940.tif 000003
【図２】
2009208940.tif 000004
【図３】
2009208940.tif 000005
【図４】
2009208940.tif 000006
【図５】
2009208940.tif 000007
【図６】
2009208940.tif 000008
【図７】
2009208940.tif 000009
【図８】
2009208940.tif 000010
【図９】
2009208940.tif 000011